(57)【要約】  【課題】携帯電話や定期入れ等に貼り付けて使用できるプリペイドＩＣタグシールを提供する。  【解決手段】このプリペイドＩＣタグシール１０は、他の物体に貼り付けるための粘着層を備えており、予め課金された金額から引き去ることはできるが、新たなチャージができない。このプリペイドＩＣタグシール１０は、名刺や、宣伝用の文字または図形が記載された台紙２０に貼り付けて配布ことができる。利用者は、その名刺や台紙２０からＩＣタグシール１０を剥がし、携帯電話や定期入れ等、好みのものに貼り付けて使用する。このプリペイドＩＣタグシール１０は、予め課金された額を使い切れば廃棄される使い捨てタイプである。  【選択図】図２
2008052490.tif 000002
【特許請求の範囲】
【請求項１】
他の物体に貼り付けるための粘着層を備えたＩＣタグシールであって、
予め課金された金額から引き去ることはできるが、新たなチャージができないことを特徴とするプリペイドＩＣタグシール。
【請求項２】
請求項１に記載のプリペイドＩＣタグシールであって、前記粘着層が、手で剥がすことが可能なピーラブル粘着剤から成ることを特徴とするプリペイドＩＣタグシール。
【請求項３】
請求項２に記載のプリペイドＩＣタグシールであって、名刺に貼り付けられていることを特徴とするプリペイドＩＣタグシール。
【請求項４】
請求項２に記載のプリペイドＩＣタグシールであって、宣伝用の文字または図形が記載された台紙に貼り付けられていることを特徴とするプリペイドＩＣタグシール。
【発明の詳細な説明】
【技術分野】
【０００１】
本発明は、電子マネーシステムへの加盟店で支払ができるプリペイドＩＣタグシールに関し、携帯電話や定期入れ等に貼り付けて利用できるようにしたものである。
【背景技術】
【０００２】
ＩＣカードを用いたプリペイド方式の電子マネーシステムでは、現金を持ち歩かずに商品の購入ができるため、近年、利用者が増え続けている。このシステムは、例えば、下記特許文献１に記載されている。
従来のＩＣカードは、ＩＣチップと送受信用のアンテナとが樹脂製のカードに埋め込まれており、ＩＣチップは、制御部を構成するＣＰＵや、ＲＯＭ、ＲＡＭ、ＥＥＰＲＯＭ等の記憶部を有している。このＩＣカードは、リーダ／ライタとの間で非接触通信を行い、蓄積するデータを書き換える。
【０００３】
電子マネーは、バリューと呼ばれ、金銭と同様の交換価値を有している。バリューは、リーダ／ライタを備える専用の課金端末でＩＣカードに書き込まれる。このバリューの書き込み処理は、チャージと呼ばれている。バリューをチャージする際に、ユーザからバリュー相当の金銭を徴収する。これにより実際の金銭とバリューとを対応させ、バリューの交換価値を担保している。
利用者が加盟店で購入した商品をバリューで支払うときは、ＩＣカードに記憶されているバリューから購入代金に相当するバリューを減算する処理が、リーダ／ライタを備える決済端末で行われる。
この課金端末や決済端末は、ネットワークを介して電子マネー管理会社のサーバに接続しており、チャージされた金額や支払われたバリューの額は、電子マネー管理会社のサーバで集計され、各加盟店に対する精算処理が行われる。
【特許文献１】特開２００３−１４１４２８号公報
【発明の開示】
【発明が解決しようとする課題】
【０００４】
従来のプリペイド用ＩＣカードは、カードの申込みを行った本人がチャージを繰り返して、自己使用を長期間続けることを前提としている。そのため、カードの申込み時に、カード発行手数料の支払いが求められる。
しかし、ＩＣカードを自己使用に限定しなければ、その用途が拡がり、新たな需要を掘り起こすことでビジネスチャンスが増大する。
また、現代社会にはカード類が氾濫し、消費者の財布の中は、最早、多種のカードで飽和状態にあり、新たなカードの入る余地が無くなって来ている。
【０００５】
本発明は、こうした事情を考慮して創案したものであり、宣伝用のノベルティー用品等への応用が可能であり、また、携帯電話や定期入れ等に貼り付けて使用することができるプリペイドＩＣタグシールを提供することを目的としている。
【課題を解決するための手段】
【０００６】
本発明は、他の物体に貼り付けるための粘着層を備えたプリペイドＩＣタグシールであって、予め課金された金額から引き去ることはできるが、新たなチャージができないことを特徴としている。
【０００７】
また、前記粘着層は、手で剥がすことが可能なピーラブル粘着剤で形成することが好ましい。
【０００８】
また、本発明のプリペイドＩＣタグシールは、名刺や、宣伝用の文字または図形が記載された台紙に貼り付けて用いることができる。
【０００９】
このプリペイドＩＣタグシールは、予め課金された額を使い切れば廃棄される使い捨てタイプのＩＣタグである。このＩＣタグシールは、名刺や宣伝用台紙に貼り付けて頒布することができ、利用者は、その名刺や台紙からＩＣタグシールを剥がし、携帯電話や定期入れ等、好みのものに貼り付けて使用することができる。
【発明の効果】
【００１０】
本発明のプリペイドＩＣタグシールは、ノベルティー用品やギフト用品、販売促進ツール等として、自己使用以外の用途にも使うことができる。このＩＣタグシールは、財布の中に収める必要が無く、携帯電話や定期入れ、財布等に貼り付けて使用することができるため、財布の中が込み合わない。
【発明を実施するための最良の形態】
【００１１】
図１（ａ）は、本発明の実施形態におけるＩＣタグシールの平面図であり、図１（ｂ）は、その断面図である。
このＩＣタグシール１０は、直径が約１０ｍｍの円盤状の外形を有し、他の物品に貼り付けるための粘着層１６と、容易に曲げることが可能な薄いプラスチック板から成る回路基板１５と、回路基板１５上に配置されたＩＣチップ１３及びアンテナコイル１４と、その上に接着層１２を介して接着された表皮層１１とを有している。
【００１２】
粘着層１６は、ゴム系やアクリル系のピーラブル粘着材から成り、貼り付けた後に手で剥がすことができる。通常、粘着層１６は、物品に貼り付けるときまで剥離層（不図示）で覆われているが、図１（ｂ）では、剥離層を除いた状態を示している。
回路基板１５は、ポリエチレンテレフタレート等の約５０μｍの厚さのフィルムから成る。アンテナコイル１４は、回路基材１５上で導電性塗料をコイルパターンにスクリーン印刷したものであり、ＩＣチップ１３と電気的に接続されている。接着層１２は、スチレン／ブタジエン共重合体やポリ酢酸ビニル等の樹脂を素材とする接着剤から成る。
表皮層１１は、柔軟性のある紙基材等から成り、アンテナコイル１４及びＩＣチップ１３を衝撃から保護し、また、文字やイラスト等の印刷が可能である。
このＩＣタグシール１０への関心を高めるため、表皮層１１に、興味を惹く図形や人気のキャラクターをデザインしたり、図７に示すように、ＩＣタグシール１０の形状を動物やキャラクターの形に成形したりしても良い。
【００１３】
このＩＣタグシール１０は、課金端末から、１０００円分、３０００円分、５０００円分等の所定のバリュー初期値がチャージされた後、リーダ／ライタからのコマンドで、追加のチャージを受け付けないように設定される。そのため、このＩＣタグシール１０は、それ以降、新たなチャージを拒否し、バリュー初期値からバリューを減算する処理のみを受付ける。
なお、ＩＣタグシール１０へのバリュー初期値のチャージは、後述するように、シール発行会社等で行われるが、その際に、バリュー初期値と金銭との同等の交換価値を担保するため、バリュー初期値に相当する金銭の徴収が行われる。
【００１４】
このＩＣタグシール１０は、図２に示すように、宣伝用の文字や図形が記載された台紙２０に貼り付けたり、図３に示すように、名刺２５に貼り付けたりした状態で消費者に提供される。消費者は、この台紙２０や名刺２５からＩＣタグシール１０を剥がし、図４に示すように、自身の携帯電話２６等に貼り付けてＩＣタグシール１０を保持する。
そして、消費者は、電子マネーシステムの加盟店で商品を購入したとき、この携帯電話２６のＩＣタグシール１０を決済端末に翳して、ＩＣタグシール１０に保持されたバリューの中から購入代金を支払う。このとき、決済端末は、ＩＣタグシール１０と非接触通信を行い、ＩＣタグシール１０で保持されているバリューを読み出し、その値から購入代金相当額を減算したバリュー残高をＩＣタグシール１０に書き込み、また、減算した値とバリュー残高とを表示して消費者に知らせる。
【００１５】
このＩＣタグシール１０を利用して加盟店で買物をしたときの加盟店間の精算は、従来と同様であり、ＩＣタグシール１０にチャージされたバリュー初期値や、支払われたバリューの額が電子マネー管理会社のサーバで集計され、各加盟店に対する精算処理が行われる。
ＩＣタグシール１０に保持されたバリュウーがゼロになると、消費者は、課金できないＩＣタグシール１０を携帯電話２６から剥がして廃棄する。
【００１６】
図５は、このＩＣタグシール１０を利用したビジネスモデルの一例を示している。
シール発行会社３１は、既存の電子マネーシステムの管理会社３４からライセンスを受けて、当該システムで通用するＩＣタグシール１０を製作し、また、このシステムの加盟店３２から受注したシール貼付カード（図２）を製作する。ＩＣタグシール１０には加盟店３２から指示されたバリュー初期値（例えば、１０００円分のバリュー）をチャージし、カードの台紙２０には、加盟店３２の広告とともに、発行元のシール発行会社３１の名前や連絡先を印刷し、この台紙２０にＩＣタグシール１０を貼り付けてシール貼付カードを完成する。
【００１７】
加盟店３２は、発注したシール貼付カードをシール発行会社３１から購入し、１０００円分の価値を持つＩＣタグシール１０が貼られたシール貼付カードを、例えば９５０円で消費者３３に販売する。
消費者３３は、購入したシール貼付カードからＩＣタグシール１０を剥がして、携帯電話や定期入れ、財布等に貼り付け、加盟店３２で買物をしたときの代金をＩＣタグシール１０で保持されたバリューによって支払う。
【００１８】
このモデルの場合、既存の電子マネーシステムの管理会社３４は、シール貼付カードの発行が増えるに伴って、当該システムを利用する消費者３３が自動的に増加し、労せずして、システムに囲い込む利用者の人数を増やすことができる、と言うメリットがある。また、消費者３３に使い捨てられたＩＣタグシール１０の使い残し分は、システムにとっての利益となる。
また、システムの加盟店３２であるスーパーマーケットやコンビニエンスストア、その他のチェーン店は、台紙２０やＩＣタグシール１０に広告が印刷されたシール貼付カードの配布による広告効果が期待できる。また、加盟店３２は、１０００円の価値を持つＩＣタグシール１０を割引いて販売することで消費者３３の誘引が可能になる。また、一旦、ＩＣタグシール１０を購入した消費者３３は、ＩＣタグシール１０の通用する加盟店３２で買物を繰り返すため、客のリピート化を図ることができる。それらの効果が総合されて、販売の促進が実現される。
【００１９】
また、シール発行会社３１は、ＩＣタグシール１０の額面に台紙２０の印刷費やカードの企画費等を上乗せした金額でシール貼付カードを加盟店３２に販売し、利益を得ることができる。また、台紙２０に「シール発行者」として社名や連絡先を表示することで次の依頼者を誘引できる。また、例えば、干支をデザインしたＩＣタグシール等、シリーズ化したＩＣタグシール１０を企画することで、加盟店３２からの連続的な受注を獲得し、事業運営を安定化することができる。
一方、加盟店３２は、シリーズ化したＩＣタグシール１０を提供することで、消費者３３にシール集めのインセンティブを与え、消費者３３の囲い込みを図ることができる。
【００２０】
また、消費者３３は、額面より安い金額で取得したＩＣタグシール１０を額面通りの支払に利用することができる。このＩＣタグシール１０を使用する決済は、ワンタッチで短時間に済ませることが可能である。また、好みの図形や形にデザイン化されたＩＣタグシール１０を携帯電話等に貼り付けて、楽しむことができる。
なお、シール発行会社３１は、既存のＩＣタグシール製品を購入し、必要に応じてカスタマイズし、シール貼付カードに組み込むようにしても良い。
【００２１】
また、図６は、このＩＣタグシール１０を利用したビジネスモデルの他の例を示している。
このモデルでは、企業３５と既存の電子マネーシステムの加盟店３２とが提携し、企業３５のノベルティ用品に当該システムで通用するＩＣタグシール１０を貼り付け、これを消費者３３にプレゼントする。
このノベルティ用品を企画・製作するシール発行会社３１は、ＩＣタグシール１０に企業３５から指示されたバリュー初期値（例えば、１０００円分のバリュー）をチャージし、台紙２０に企業３５の広告を印刷し、この台紙２０にＩＣタグシール１０を貼り付けてノベルティ用品を完成する。
【００２２】
企業３５は、このノベルティ用品をシール発行会社３１から購入する際に、ＩＣタグシール１０の額面の一部を提携先の加盟店３２が負担するように求め、例えば、１０００円の内、８００円を企業３５が負担し、２００円を加盟店３２が負担する。
企業３５は、シール発行会社３１から購入したノベルティ用品を消費者３３にプレゼントする。消費者３３は、ノベルティ用品の台紙２０からＩＣタグシール１０を剥がして携帯電話や定期入れ等に貼り付け、加盟店３２で買物をしたときの代金をＩＣタグシール１０のバリューで支払う。
【００２３】
このモデルの場合、企業３５は、安い負担で自社の宣伝を行うことができる。また、加盟店３２は、労せずして来店者が増え、利益が増大する。従って、提携した企業３５及び加盟店３２の双方に相乗メリットが生じる。また、消費者３３は、１０００円分の価値をプレゼントされて喜ぶ。
【００２４】
このように、本発明のプリペイドＩＣタグシールは、自己使用以外の使用形態を採ることができ、このＩＣタグシールを用いて、新たなビジネスモデルを展開することができる。
本発明のプリペイドＩＣタグシールを貼り付ける台紙２０は、形状、材質、デザイン等を自由に設定することができる。この台紙２０をギフトカードの体裁にデザインし、ＩＣタグシール１０を貼り付けて一般的なギフトカードとして利用することもできる。
この場合、一枚の台紙２０に課金額の異なる複数のＩＣタグシール１０を組み合わせて貼り付けることで、ギフト額を任意に設定できる。また、このギフトカードの郵送費は安く付き、また、節税の効果もある。
また、図３のように、名刺にＩＣタグシール１０を貼り付けた場合は、名刺を渡す相手に強い印象を与えることができ、営業活動を円滑に行うことができる。
【図面の簡単な説明】
【００２５】
【図１】本発明の実施形態におけるＩＣタグシールの平面図（ａ）と断面図（ｂ）
【図２】本発明の実施形態におけるＩＣタグシールを貼り付けたカードを示す図
【図３】本発明の実施形態におけるＩＣタグシールを貼り付けた名刺を示す図
【図４】本発明の実施形態におけるＩＣタグシールを携帯電話に貼り付けた状態を示す図
【図５】本発明の実施形態におけるＩＣタグシールを使用する第１のビジネスモデルの説明図
【図６】本発明の実施形態におけるＩＣタグシールを使用する第２のビジネスモデルの説明図
【図７】本発明の実施形態におけるＩＣタグシールの図案化した形状を示す図
【符号の説明】
【００２６】
１０  ＩＣタグシール
１１  表皮層
１２  接着層
１３  ＩＣチップ
１４  アンテナコイル
１５  回路基板
１６  粘着層
２０  台紙
２５  名刺
２６  携帯電話
３１  シール発行会社
３２  加盟店
３３  消費者
３４  電子マネーシステム管理会社
３５  企業
【図１】
2008052490.tif 000003
【図２】
2008052490.tif 000004
【図３】
2008052490.tif 000005
【図４】
2008052490.tif 000006
【図５】
2008052490.tif 000007
【図６】
2008052490.tif 000008
【図７】
2008052490.tif 000009